【手続補正書】
【提出日】平成19年2月16日(2007.2.16)
【手続補正１】
【補正対象書類名】特許請求の範囲
【補正対象項目名】全文
【補正方法】変更
【補正の内容】
【特許請求の範囲】
【請求項１】
基材、記録層および、場合により、１層以上の反射層類を含み、その記録層が、式：
【化１】
2006523553.tif 000001
（式中、
Ｇ1およびＧ2は、それぞれ他とは独立して、
【化２】
2006523553.tif 000002
であり；
Ａ1およびＡ2は、それぞれ他とは独立して、Ｎ（Ｒ12）、Ｏ、ＳまたはＳｅであり、Ａ3は、Ｃ（Ｃ1〜Ｃ5アルキル）2、Ｃ（Ｃ4〜Ｃ5アルキレン）、Ｎ（Ｒ12）、Ｏ、Ｓ、Ｓｅ、Ｎ＝Ｃ（Ｒ13）または非置換かもしくはＲ14で置換されるＣＨ＝ＣＨであり；
Ｍ1は、IX〜XII族の遷移金属、好ましくは、Ｃｏ、Ｃｕ、Ｎｉ、ＰｄまたはＺｎ、特に、Ｃｏ、ＣｕまたはＮｉであり；
Ｑ1およびＱ2は、それぞれ他とは独立して、Ｃ（Ｒ15）、ＮまたはＰであり；
Ｒ1、Ｒ2、Ｒ3、Ｒ4、Ｒ5、Ｒ6、Ｒ7、Ｒ8およびＲ14は、それぞれ他とは独立して、水素、Ｒ18、またはＣ6〜Ｃ12アリール、Ｃ4〜Ｃ12ヘテロアリール、Ｃ7〜Ｃ12アラルキルまたはＣ5〜Ｃ12ヘテロアラルキルであり、それぞれが非置換か、または適宜、同一もしくは異なり、基：Ｒ18１個以上によって置換されているか；あるいは
Ｒ1およびＲ2、Ｒ3およびＲ4、Ｒ5およびＲ6、Ｒ5およびＲ13ならびに／またはＲ5およびＲ14は、互いに対として、Ｃ3〜Ｃ6アルキレンまたはＣ3〜Ｃ6アルケニレンであり、それぞれが非置換か、または適宜、同一もしくは異なり、基：Ｒ17１個以上によって置換されており、そして中断されていないか、またはＯ、ＳもしくはＮ（Ｒ12）または
１，４−ブタ−１，３−ジエニレン、
【化３】
2006523553.tif 000003
によって中断されていてもよく、それぞれが非置換か、または適宜、同一もしくは異なり、基：Ｒ18１個以上によって置換されており、炭素原子１または２個が、窒素によって置換されていてもよく；
Ｒ9、Ｒ12およびＲ13は、それぞれ他とは独立して、Ｃ1〜Ｃ24アルキル、Ｃ3〜Ｃ24シクロアルキル、Ｃ2〜Ｃ24アルケニル、Ｃ3〜Ｃ24シクロアルケニル、Ｃ1〜Ｃ4アルキル−［Ｏ−Ｃ1〜Ｃ4アルキレン］mまたはＣ1〜Ｃ4アルキル−［ＮＨ−Ｃ1〜Ｃ4アルキレン］mであり、それぞれが非置換か、または適宜、同一もしくは異なり、基：Ｒ17１個以上によって置換されているか；またはＣ6〜Ｃ12アリール、Ｃ4〜Ｃ12ヘテロアリール、Ｃ7〜Ｃ12アラルキルまたはＣ5〜Ｃ12ヘテロアラルキルであり、それぞれが非置換か、または適宜、同一もしくは異なり、基：Ｒ18１個以上によって置換されており；
Ｒ10、Ｒ11およびＲ18は、それぞれ他とは独立して、ハロゲン、ニトロ、シアノ、チオシアナト、ヒドロキシ、Ｏ−Ｒ19、Ｏ−ＣＯ−Ｒ19、Ｓ−Ｒ19、ＣＨＯ、ＣＯＲ20、ＣＨＯＲ19ＯＲ23、ＣＲ20ＯＲ19ＯＲ23、Ｒ16、Ｎ＝Ｎ−Ｒ16、Ｎ＝ＣＲ19Ｒ20、Ｎ＝ＣＲ21Ｒ22、Ｃ（Ｒ15）＝ＮＲ19、Ｃ（Ｒ15）＝ＮＲ21、Ｃ（Ｒ15）＝ＣＲ21Ｒ22、ＮＨ2、ＮＨ−Ｒ19、ＮＲ19Ｒ20、ＮＨ3＋、ＮＨ2Ｒ19＋、ＮＨＲ19Ｒ20＋、ＮＲ19Ｒ20Ｒ23＋、ＣＯＮＨ2、ＣＯＮＨＲ19、ＣＯＮＲ19Ｒ20、ＳＯ2Ｒ19、ＳＯ2ＮＨ2、ＳＯ2ＮＨＲ19、ＳＯ2ＮＲ19Ｒ20、ＣＯＯＨ、ＣＯＯＲ19、ＯＣＯＯＲ19、ＮＨＣＯＲ19、ＮＲ19ＣＯＲ23、ＮＨＣＯＯＲ19、ＮＲ19ＣＯＯＲ23、ウレイド、ＮＲ19−ＣＯ−ＮＨＲ23、Ｂ（ＯＨ）2、Ｂ（ＯＨ）（ＯＲ19）、Ｂ（ＯＲ19）ＯＲ23、ホスファト、ＰＲ19Ｒ23、ＰＯＲ19ＯＲ23、Ｐ（＝Ｏ）ＯＲ19ＯＲ23、ＯＰＲ19Ｒ23、ＯＰＲ19ＯＲ23、ＯＰ（＝Ｏ）Ｒ19ＯＲ23、ＯＰ（＝Ｏ）ＯＲ19ＯＲ23、ＯＰＯ3Ｒ19、スルファト、スルホ、またはＣ1〜Ｃ12アルキル、Ｃ3〜Ｃ12シクロアルキル、Ｃ1〜Ｃ12アルキルチオ、Ｃ3〜Ｃ12シクロアルキルチオ、Ｃ1〜Ｃ12アルコキシまたはＣ3〜Ｃ12シクロアルコキシであり、それぞれが非置換か、または適宜、同一もしくは異なり、基：Ｒ17１個以上によって置換されており；
Ｒ15は、水素、シアノ、ヒドロキシ、Ｃ1〜Ｃ12アルコキシ、Ｃ3〜Ｃ12シクロアルコキシ、Ｃ1〜Ｃ12アルキルチオ、Ｃ3〜Ｃ12シクロアルキルチオ、アミノ、ＮＨＲ24、ＮＲ25Ｒ26、Ｒ27、ハロゲン、ニトロ、ホルミル、Ｎ＝Ｎ−Ｒ27、Ｃ（Ｒ14）＝ＣＲ21Ｒ22、Ｃ（Ｒ14）＝ＮＲ19、ＣＯＯ−Ｒ25、カルボキシ、カルバモイル、ＣＯＮＨ−Ｒ25、ＣＯＮＲ25Ｒ26、Ｎ＝ＣＲ19Ｒ20、またはＣ1〜Ｃ12アルキル、Ｃ3〜Ｃ12シクロアルキル、Ｃ2〜Ｃ12アルケニルまたはＣ3〜Ｃ12シクロアルケニルであり、それぞれが非置換か、または適宜、同一もしくは異なり、ハロゲン、ヒドロキシ、Ｃ1〜Ｃ12アルコキシもしくはＣ3〜Ｃ12シクロアルコキシ基１個以上によって置換されており；
Ｒ16は、Ｃ6〜Ｃ12アリール、Ｃ4〜Ｃ12ヘテロアリール、Ｃ7〜Ｃ12アラルキルまたはＣ5〜Ｃ12ヘテロアラルキルであり、それぞれが非置換か、または適宜、同一もしくは異なり、基：Ｒ28１個以上によって置換されており；
Ｒ17は、ハロゲン、ヒドロキシ、Ｏ−Ｒ25、Ｏ−ＣＯ−Ｒ25、Ｓ−Ｒ25、ＮＨ2、ＮＨ−Ｒ25、ＮＲ25Ｒ26、ＮＨ3+、ＮＨ2Ｒ25+、ＮＨＲ25Ｒ26+、ＮＲ24Ｒ25Ｒ26+、ＮＲ25−ＣＯ−Ｒ24、ＮＲ25ＣＯＯＲ24、シアノ、ホルミル、ＣＯＯ−Ｒ25、カルボキシ、カルバモイル、ＣＯＮＨ−Ｒ25、ＣＯＮＲ25Ｒ26、ウレイド、ＮＨ−ＣＯ−ＮＨＲ24、ＮＲ25−ＣＯ−ＮＨＲ24、ホスファト、ＰＲ25Ｒ24、ＰＯＲ25ＯＲ24、Ｐ（＝Ｏ）ＯＲ25ＯＲ24、ＯＰＲ25Ｒ24、ＯＰＲ25ＯＲ24、ＯＰ（＝Ｏ）Ｒ25ＯＲ24、ＯＰＯ3Ｒ25、ＯＰ（＝Ｏ）ＯＲ25ＯＲ24、ＳＯ2Ｒ25、スルファト、スルホ、Ｒ27、Ｎ＝Ｎ−Ｒ27、またはＣ1〜Ｃ12アルコキシまたはＣ1〜Ｃ12シクロアルコキシであり、それぞれが非置換か、またはハロゲンによってモノ置換もしくはポリ置換されており；
Ｒ19、Ｒ20およびＲ23は、それぞれ他とは独立して、Ｒ16、またはＣ1〜Ｃ12アルキル、Ｃ3〜Ｃ12シクロアルキル、Ｃ2〜Ｃ12アルケニルまたはＣ3〜Ｃ12シクロアルケニルであり、それぞれが非置換か、または適宜、同一もしくは異なり、ハロゲン、ヒドロキシ、Ｃ1〜Ｃ12アルコキシもしくはＣ3〜Ｃ12シクロアルコキシ基１個以上によって置換されているか；あるいは
Ｒ14およびＲ19が一緒に、Ｒ15およびＲ19が一緒に、そして／またはＲ19およびＲ23が一緒に、Ｃ2〜Ｃ12アルキレン、Ｃ3〜Ｃ12シクロアルキレン、Ｃ2〜Ｃ12アルケニレンまたはＣ3〜Ｃ12シクロアルケニレンであり、それぞれが非置換か、または適宜、同一もしくは異なり、ハロゲン、ヒドロキシ、Ｃ1〜Ｃ12アルコキシもしくはＣ3〜Ｃ12シクロアルコキシ基１個以上によって置換されているか；あるいは
Ｒ19およびＲ20は、共通する窒素と一緒に、ピロリジン、ピペリジン、ピペラジンまたはモルホリンであり、それぞれが非置換か、またはＣ1〜Ｃ4アルキルによってモノ置換〜テトラ置換されているか；またはカルバゾール、フェノキサジンまたはフェノチアジンであり、それぞれが非置換か、または適宜、同一もしくは異なり、基：Ｒ28１個以上によって置換されており；
Ｒ21およびＲ22は、それぞれ他とは独立して、ＮＲ25Ｒ26、ＣＮ、ＣＯＮＨ2、ＣＯＮＨＲ19、ＣＯＮＲ19Ｒ20またはＣＯＯＲ20であり；
Ｒ24、Ｒ25およびＲ26は、それぞれ他とは独立して、Ｃ1〜Ｃ12アルキル、Ｃ3〜Ｃ12シクロアルキル、Ｃ2〜Ｃ12アルケニル、Ｃ3〜Ｃ12シクロアルケニル、Ｃ6〜Ｃ12アリール、Ｃ4〜Ｃ12ヘテロアリール、Ｃ7〜Ｃ12アラルキルもしくはＣ5〜Ｃ12ヘテロアラルキルであるか；または
Ｒ25およびＲ26は、共通する窒素を一緒に、ピロリジン、ピペリジン、ピペラジンもしくはモルホリンであり、それぞれが非置換か、もしくはＣ1〜Ｃ4アルキルによってモノ置換〜テトラ置換されており；
Ｒ27は、Ｃ6〜Ｃ12アリール、Ｃ4〜Ｃ12ヘテロアリール、Ｃ7〜Ｃ12アラルキルまたはＣ5〜Ｃ12ヘテロアラルキルであり、それぞれが非置換か、または適宜、同一もしくは異なり、基：Ｒ18１個以上によって置換されており；
Ｒ28は、ニトロ、ＳＯ2ＮＨＲ25、ＳＯ2ＮＲ25Ｒ26、またはＣ1〜Ｃ12アルキル、Ｃ3〜Ｃ12シクロアルキル、Ｃ1〜Ｃ12アルキルチオ、Ｃ3〜Ｃ12シクロアルキルチオ、Ｃ1〜Ｃ12アルコキシまたはＣ3〜Ｃ12シクロアルコキシであり、それぞれが非置換か、または適宜、同一もしくは異なり、基：Ｒ17１個以上によって置換されており；
ｍは、１〜１０の数である。）
で示される化合物またはその互変異性体を含む、光学記録媒体。
【請求項２】
その記録層が、式（Ｉ）（式中、
【化５】
2006523553.tif 000004
である）で示される化合物を含む、請求項１記載の光学記録媒体。
【請求項３】
請求項１または２記載の光学記録媒体のデータが、３５０〜５００nmの波長で記録または再生される、データを記録または再生する方法。
【請求項４】
その化合物が、式：Ｍ2（Ｚ1）2（式中、
・Ｍ2は、Ｃｏ（II）、Ｃｕ（II）、Ｈｇ（II）、Ｎｉ（II）、Ｐｄ（II）もしくはＺｎ（II）であり、そしてＺ1は、
【化６】
2006523553.tif 000005
であるか；
・Ｍ2は、Ｃｏ（II）、Ｃｕ（II）、Ｎｉ（II）、Ｐｄ（II）もしくはＺｎ（II）であり、そしてＺ1は、
【化７】
2006523553.tif 000006
であるか；
・Ｍ2は、Ｃｏ（II）、Ｃｕ（II）、Ｎｉ（II）もしくはＺｎ（II）であり、そしてＺ1は、
【化８】
2006523553.tif 000007
であるか；
・Ｍ2は、Ｃｕ（II）、Ｐｄ（II）もしくはＺｎ（II）であり、そしてＺ1は、
【化９】
2006523553.tif 000008
であるか；
・Ｍ2は、Ｃｏ（II）、Ｃｕ（II）もしくはＺｎ（II）であり、そしてＺ1は、
【化１０】
2006523553.tif 000009
であるか；
・Ｍ2は、Ｃｕ（II）もしくはＺｎ（II）であり、そしてＺ1は、
【化１１】
2006523553.tif 000010
であるか；
・Ｍ2は、Ｃｏ（II）もしくはＣｕ（II）であり、そしてＺ1は、
【化１２】
2006523553.tif 000011
であるか；
・Ｍ2は、Ｐｄ（II）もしくはＺｎ（II）であり、そしてＺ1は、
【化１３】
2006523553.tif 000012
であるか；
・Ｍ2は、Ｃｕ（II）であり、そしてＺ1は、
【化１４】
2006523553.tif 000013
であるか；または
・Ｍ2は、Ｚｎ（II）であり、そしてＺ1は、
【化１５】
2006523553.tif 000014
である。）で示される化合物でないことを条件とする、請求項１記載の式（Ｉ）で示される化合物。